(57)【要約】      （修正有）【課題】電解研磨による電極の洗浄効率を従来よりも向上させる電気化学測定装置を提供する。【解決手段】電解研磨制御部５１２が測定回路４を介して作用電極３２に電解研磨のための電圧を印加している間、分岐流路のバルブ１４を閉じて、分岐流路及びフローセル内の試料溶液の流れを止める。電解研磨制御部５１２が測定回路４を介して作用電極に電解研磨のための電圧を印加していない間は、分岐流路のバルブ１４を開けて、分岐流路及びフローセル内の液置換を行った。【選択図】図２
2020034408.tif 000002
【特許請求の範囲】
【請求項１】
試料を含む液体に接触する炭素電極と、
該炭素電極に電圧を印加して電解研磨する電圧制御部と、
前記電圧制御部が前記炭素電極に電圧を印加している間、前記炭素電極と接触する前記液体の前記炭素電極に対する流れを止める流体制御機構とを備える電気化学測定装置。
【請求項２】
試料を含む液体が流れる流路をさらに具備し、
前記炭素電極が、前記流路内を流れる前記液体と接触するように配置され、
前記流体制御機構が、前記流路に設けられた流体制御機器と、該流体制御機器を制御して、前記電圧制御部が前記炭素電極に電圧を印加している間、前記流路内の前記液体の流れを止める流体制御部とを備えるものである請求項１記載の電気化学測定装置。
【請求項３】
前記炭素電極が、ダイヤモンド電極、又はダイヤモンドライクカーボン電極である請求項１又は２記載の電気化学測定装置。
【請求項４】
前記試料に含まれる塩素濃度を測定するものである請求項１乃至３記載の電気化学測定装置。
【請求項５】
試料を含む液体が流れる流路と、流路内を流れる前記液体と接触するように配置されている炭素電極とを備えた電気化学測定装置の前記炭素電極を電解研磨によって洗浄する方法であって、
電解研磨時に前記流路内の前記液体の流れを止めることを特徴とする炭素電極の洗浄方法。
【発明の詳細な説明】
【技術分野】
【０００１】
本発明は、主に電気化学測定装置が備える炭素電極を電解研磨によって洗浄する方法に関するものである。
【背景技術】
【０００２】
特許文献１に示すような、試料溶液の電気化学的性質を測定する電気化学測定装置では、汚れの付着によって電極の感度が低下することを抑えるために電極を洗浄する必要がある。
【０００３】
前記電極の洗浄方法としては、電極に電圧を印加して該電極を洗浄する電解研磨という方法が用いられることがある。
従来、この電解研磨による洗浄は、電極の周囲に液流を起こして、電極に試料溶液もしくは測定物質を含まない洗浄液を供給しながら行うのが技術常識である。
【先行技術文献】
【特許文献】
【０００４】
【特許文献１】特開２００７−１３９７２５号公報
【発明の概要】
【発明が解決しようとする課題】
【０００５】
この技術常識に対して、本発明は、電解研磨時に電極に供給される試料溶液等の流れを止めれば、より電解研磨による洗浄効率を向上することができることに本発明者が気付いたことにより、初めて完成したものであり、電解研磨による電極の洗浄効率を従来よりも向上させることを目的とするものである。
【課題を解決するための手段】
【０００６】
すなわち、本発明に係る電気化学測定装置は、試料溶液を含む液体に接触する炭素電極と、該炭素電極に電圧を印加して電解研磨する電圧制御部と、前記電圧制御部が前記炭素電極に電圧を印加している間、前記炭素電極と接触する前記液体の前記炭素電極に対する流れを止める流体制御機構とを備えるものである。
【０００７】
このように構成した電気化学測定装置によれば、電解研磨を行っている間に新たな試料が電極に供給されないので、印加電圧が試料と電極との反応に使用され続けることがなく、印加電圧を電解研磨に集中して使用することができる。
また、電解研磨を行っている間に新たな試料が電極に供給されないので、電極表面に試料に起因する新たな汚れが付着しにくい。
その結果、炭素電極の洗浄効率を従来よりもさらに向上することができる。
【０００８】
試料を含む液体が流れる流路をさらに具備し、前記炭素電極が、前記流路内を流れる前記液体と接触するように配置され、前記流体制御機構が、前記流路に設けられた流体制御機器と、該流体制御機器を制御して、前記電圧制御部が前記炭素電極に電圧を印加している間、前記流路内の前記液体の流れを止める流体制御部とを備えるものである電気化学測定装置とすれば、手間をかけずに試料を連続測定することができる。
【０００９】
前記炭素電極が、ダイヤモンド電極、又はダイヤモンドライクカーボン電極であるものであれば、電圧に対する耐久性が高いので、電解研磨時により高い電圧を印加して洗浄をおこなうことができる。
【００１０】
本発明の具体的な実施態様としては、試料に含まれる塩素濃度を測定するものである電気化学測定装置を挙げることができる。
【００１１】
本発明は、試料を含む液体が流れる流路と、流路内を流れる前記液体と接触するように配置されている炭素電極とを備えた電気化学測定装置の前記炭素電極を電解研磨によって洗浄する方法であって、電解研磨時に前記流路内の前記液体の流れを止めることを特徴とする炭素電極の洗浄方法をも含むものである。
【発明の効果】
【００１２】
本発明によれば、電解研磨による炭素電極の洗浄効率を従来よりもさらに向上することができる。
【図面の簡単な説明】
【００１３】
【図１】本発明の一実施形態に係る電気化学測定装置全体の摸式図。
【図２】本実施形態に係る電気化学測定装置の機能ブロック図。
【図３】本実施形態に係る電気化学測定装置を用いた洗浄及び測定工程を表すフロー図。
【図４】本実施形態に係る電気化学測定装置を用いた洗浄及び測定工程における印加電圧の変化を表すグラフ。
【図５】本実施形態に係る電気化学測定装置の電解研磨時に液体を流さない場合の電極の洗浄効率を示すグラフ。
【図６】本実施形態に係る電気化学測定装置の電解研磨時に液体を流した場合の電極の洗浄効率を示すグラフ。
【発明を実施するための形態】
【００１４】
以下に、本発明の一実施形態に係る電気化学測定装置１００について図を参照しながら説明する。
＜本実施形態に係る電気化学測定装置の構成＞
本実施形態に係る電気化学測定装置１００は、例えば、電解質溶液である試料に電圧を印加することにより試料を分析する３極式ボルタンメトリー測定を行うフローインジェクション方式の電気化学測定装置１００である。その基本構成は、図１に示すように、内部に試料を含む液体が流れる流路１が形成された流通管２と、流路１内を流通する流体の流れを制御する流体制御機構と、流路１上に設けられたセンサ部３と、センサ部３からの信号を取り出すための測定回路４と、測定回路４により得られた電圧、電流等に基づいて試料中の成分の濃度等を算出する情報処理装置５とからなる。
【００１５】
このような電気化学測定装置１００は、様々な用途に使用することができるが、本実施形態では、一例として、電解水中の残留塩素濃度測定をするものについて説明する。
【００１６】
残留塩素とは、水溶液中に含有されている全ての有効塩素のことを示している。
有効塩素とは、次亜塩素酸（ＨＣｌＯ）、次亜塩素酸イオン（ＣｌＯ−）、溶存塩素（Ｃｌ２）などの遊離塩素や、モノクロルアミン（ＮＨ２Ｃｌ）、ジクロルアミン（ＮＨＣｌ２）、トリクロルアミン（ＮＣｌ３）などの結合塩素からなるものである。
【００１７】
流路１は、メイン流路１１と、メイン流路１１から分岐してセンサ部３に接続されている分岐流路１２とを備えている。
流体制御機構は、流路１上も設けられた流体制御機器と、該流体制御機器を制御する流体制御部とを備えている。
前記流路１上には、液体制御機器として、流路１に試料を含む液体を流通させるためのポンプ１３と、メイン流路１から分岐流路１２への試料等の流入を制御するバルブ１４とが設けられている。バルブ１４は開閉バルブ１４であり分岐流路１２上に設けられている、このバルブ１４を開けるとメイン流路１１から分岐流路１２に試料などの液体が流れ、このバルブ１４を閉じるとメイン流路１１から分岐流路１２への液体の送液が止まるようにしてある。
【００１８】
センサ部３は、分岐流路１２のバルブ１４よりも下流側に接続されて、内部に試料溶液を収容するフローセル３１と、フローセル３１の内部に収容された試料と接触するようにフローセル３１に取り付けられた作用電極３２と、参照電極３３と、対電極３４とを備えている。
【００１９】
作用電極３２は、試料溶液に電圧を印加するためのものであり、ホウ素を高濃度に添加することにより導電性を有するボロンドープダイヤモンド電極である。
【００２０】
参照電極３３は、作用電極３２の電位の基準となる電極であり、本実施形態では、銀／塩化銀電極を用いている。
【００２１】
対電極３４は、作用電極３２にある電位を設定する場合に、作用電極３２での電流が支障なく流れるようにするもので、作用電極３２に直列に接続されている。本実施形態では、作用電極３２同様、ボロンドープダイヤモンド電極を用いている。
【００２２】
測定回路４は、作用電極３２、参照電極３３及び対電極３４に電圧を印加し、当該印加電圧における電流値を検出するものであり、例えば、ポテンショスタットを含むものである。
【００２３】
情報処理装置５は、測定回路４に印加する電圧を制御する電圧制御部５１と、測定回路４から出力される電圧信号及び電流信号に基づいて電流−電圧曲線を求め、この電流−電圧曲線に基づいて試料中の残留塩素の濃度を算出する算出部５２と、流路１に設けられたバルブ１４の開閉を制御する流体制御部であるバルブ制御部５３とを備えるものである。
電圧制御部５１は、試料中の残留塩素濃度を測定するときに作用電極３２、参照電極３３及び対電極３４に印加される電圧を制御する測定電圧制御部５１１と、作用電極３２及び対電極３４を電解研磨によって洗浄するときに作用電極３２又は対電極３４に印加される電圧を制御する電解研磨制御部５１２とを備えている。
【００２４】
情報処理装置５の具体的な構成は、ＣＰＵ、メモリ、Ａ／Ｄコンバータ、Ｄ／Ａコンバータ等を備えたものであり、前記メモリの所定領域に格納されたプログラムに従ってＣＰＵや周辺機器が協働することにより電圧制御部５１、算出部５２、バルブ制御部５３としての機能を発揮するようにしてある。
【００２５】
＜本実施形態に係る電気化学測定装置を用いた電気化学測定方法＞
ポンプによってメイン流路１内を流通する試料である電解水が、分岐流路１２上に設けられたバルブ１４がバルブ制御部５３からの信号によって開状態にされることで、分岐流路１２を通ってフローセル３１に試料が流れ込む。
【００２６】
電解水がフローセル３１に流れ込みフローセル３１内の液が流れ込んだ電解水で十分に置換された後に、バルブ制御部５３がバルブ１４を閉じる信号を出力し、バルブ１４が閉状態にされる。
バルブ１４が閉状態になると、フローセル３１の内部に収容された状態で分岐流路１２及びフローセル３１内の液流が止まる。
【００２７】
フローセル３１内に収容されている試料に作用電極３２、参照電極３３及び対電極３４が試料に接触した状態で、測定電圧制御部５１１からの指令を受けた測定回路４により作用電極３２、参照電極３３及び対電極３４に電圧が印加される。
電解水中の残留塩素濃度を測定する場合には、作用電極３２表面での還元反応を検出するために、例えば、作用電極３２に−０．６７Ｖの電圧を印加する。
【００２８】
このとき作用電極３２の表面で、印加電圧に応じた電気化学反応が起こり、この時に生じた電気信号が測定回路４によって検出されて算出部５２に送られて解析され、試料中の残留塩素濃度が算出される。
【００２９】
この測定の前後には、作用電極３２、参照電極３３及び対電極３４に電圧を印加して各電極を洗浄する電解研磨を行うようにしている。
以下に、この電解研磨を行う手順について、図３を用いて説明する。
【００３０】
＜本実施形態に係る電気化学測定装置の電極に対する電解研磨方法＞
前述した試料測定時と同様に、分岐流路１２上に設けられたバルブ１４がバルブ制御部５３からの信号によって開状態にされることで、メイン流路１１内を流通する試料である電解水が、分岐流路１２を通ってフローセル３１に試料が流れ込む。
【００３１】
電解水がフローセル３１に流れ込みフローセル３１内の液が流れ込んだ電解水で十分に置換された（Ｓ１）後に、バルブ制御部５３がバルブ１４を閉じる信号を出力し、バルブ１４が閉状態にされる。
バルブ１４が閉状態になると、フローセル３１の内部に収容された状態で分岐流路１２及びフローセル３１内の液流が止まる。
【００３２】
分岐流路１２及びフローセル３１内の試料の流れが止まり、フローセル３１内に収容されている試料に作用電極３２、参照電極３３及び対電極３４が試料に接触した状態で、電解研磨制御部５１２からの指令を受けた測定回路４により作用電極３２、参照電極３３及び対電極３４に電圧が印加される。
電解研磨制御部５１２は、例えば、作用電極３２に印加する電圧を、＋４Ｖから−４Ｖの間で反復的に掃印して作用電極３２を電解研磨する。
【００３３】
より具体的には、電解研磨制御部５１２が、作用電極３２に印加する電圧をまず０Ｖから＋４Ｖまで掃印して＋４Ｖで一定時間保持する（Ｓ２）。次に＋４Ｖから０Ｖまで掃印して０Ｖで一定時間保持する（Ｓ３）。続いて、０Ｖから−４Ｖまで掃印して−４Ｖで一定時間保持する（Ｓ４）。その後、−４Ｖから０Ｖまで掃印して、０Ｖで一定時間保持する（Ｓ５）。
この電解研磨が終了すると、前述した手順で電気化学測定が行われる（Ｓ６）。測定電圧制御部５１１による作用電極３２への電圧印加が終了し、印加電圧が０Ｖに戻ると、再びＳ１で表される液置換工程に戻り電解研磨の工程が開始される。
この一連の流れと作用電極３２に印加される電圧の変化をグラフに表したのが、図４である。
【００３４】
電解研磨制御部５１２によって、作用電極３２に印加される印加電圧が０Ｖで保持されている間、つまり作用電極３２に電圧が印加されていない間（Ｓ１、Ｓ３、Ｓ５）は、バルブ制御部５３がバルブ１４を開状態にして、フローセル３１内の電解水が置換されるようにしてある。
【００３５】
次に電解研磨制御部５１２が、作用電極３２に印加する電圧を０Ｖから＋４Ｖに向けて掃印し始めると、バルブ制御部５３はバルブ１４を閉状態にして、フローセル３１内の電解水の流れを止めるようにしてある。
【００３６】
この電解研磨は、例えば、電気化学測定装置１００の電源を入れたときや、所定回数以上の測定が繰り返されたときに、例えば、４回繰りかえすようにし、その他の場合は、１回の測定が終了するたびに１回行うように設定してある。
【００３７】
＜本実施形態の効果＞
このように構成した電気化学測定装置１００によれば、電解研磨制御部５１２が、作用電極３２に電圧を印加して電解研磨しているときに、バルブ制御部５３がバルブ１４を閉めてフローセル３１内の電解水が流動しないようにしているので、作用電極３２の電解研磨による洗浄効率をより向上させることができる。
【００３８】
作用電極３２がボロンドープダイヤモンド電極であるので、電位窓が広く（酸化電位及び還元電位が広い）、また、他の電極材料と比較してバックグラウンド電流が低く、更に、化学的耐性、耐久性、電気伝導度、耐腐食性等にも優れるといった利点を有しているので好適である。  ダイヤモンド電極であれば、電圧に対する耐久性が高いので、他の素材の電極よりも高い電圧を印加することができ、電解研磨による洗浄効率をより高めることができる。
【００３９】
作用電極３２、比較電極、対極を使用した３電極方式のボルタンメトリー測定を採用しているので、特別な試薬が不要、電位窓の影響を抑えて正確かつ容易に残留塩素濃度測定を行うことができる。
【００４０】
電気化学測定装置１００が、メイン流路１１と分岐流路１２とを備えており、分岐流路１２上にセンサ部３が設けられているので、バルブ１４の開閉に伴う送液の応答時間を短くすることができる。
【００４１】
バルブ１４がフローセル３１の上流に配置されているので、バルブ１４を閉めてから分岐流路１２からフローセル３１に流れ込む試料によるフローセル３１内の試料溶液の流動の流れが止まるまでの時間をより短くすることができる。
【００４２】
＜本発明に係る電気化学測定装置のその他の変形実施形態＞
本発明は前記実施形態に限られたものではない。
例えば、前記バルブは、作用電極に電圧が印加されていない間にのみ、バルブ制御部がバルブを開状態とするものに限らず、作用電極に印加される電圧の絶対値がある所定の値以上になったときにバルブ制御部がバルブを開状態とするものとしても良い。
電気化学測定装置は、前述した電解水に限らず、水道水、飲料水、河川や沼湖の水、工業廃水、産業廃液、実験試薬など様々な試料に対して使用可能である。
【００４３】
測定時に作用電極に印加される印加電圧は、前述したものに限らず、試料の種類や検出したい成分によって適宜変更することができる。
例えば、前述の実施形態では、還元反応を検出しているので、負の電圧を印加していたが、酸化反応を検出したい場合には、作用電極に正の電圧を印加する必要がある。
電解研磨時に作用電極に印加される印加電圧は、前述したものに限らず、作用電極の材質や、汚れの種類等によって適宜変更することができる。
【００４４】
測定電圧制御部及び電解研磨制御部については、これらを別々の構成として設けても良いし、測定電圧制御部５１１と電解研磨制御部とが１つの電圧制御として構成されていてもよい。
【００４５】
電気化学測定装置は、前述したような３極式のものに限らず、２極式や４極式、６極式のものとしても良い。
【００４６】
作用電極はボロンドープダイヤモンド電極に限らず、窒素、リン等の１３族又は１５族の元素をドープした導電性ダイヤモンド電極であっても良いし、さらにダイヤモンド電極に限らずカーボン電極、グラッシーカーボン電極、ダイヤモンドライクカーボン電極等の炭素を含有する炭素電極であれば良い。  参照電極は、前述した銀／塩化銀電極に限らず、例えば、標準水素電極、水銀／塩化水銀電極、水素パラジウム電極等を用いることもできる。
さらに、対電極についても、ダイヤモンド電極に限らず、例えば炭素、ステンレス、金、銀、塩化銀、白金、ＳｎＯ２等の電極を用いることができる。
【００４７】
バルブは、フローセルへの試料溶液の流れを制御できれば良く、フローセルの下流に配置されていても良いし、フローセルの上流側と下流側の両方に設けられていても良い。
【００４８】
メイン流路と分岐流路を使用せず、メイン流路にフローセルを設けてバルブがメイン流路の流れを制御するようにしてもよい。
また、流体制御部が、バルブではなく、メイン流路や分岐流路に設けられたポンプを止めることにより、フローセルへの試料溶液等の流れをとめるようにしても良い。
液置換時にメイン流路、分岐流路及びフローセルに流れる液体は、前述した試料溶液だけでなく、測定対象を含まない洗浄液などであってもよい。
作用電極、参照電極、対電極等を回転ディスク上に搭載した回転電極を使用してもよい。この場合には、前記流体制御機構がこの回転電極の回転を制御する回転制御部であり、該回転制御部が回転電極の回転を制御することによって電極の周囲の液流をコントロールするようにしてもよい。
具体的には、液置換時にはバルブやポンプを開状態にするとともに回転電極を回転させて電極の周囲の液流を起こし、電解研磨時にはバルブやポンプを閉状態にするとともに回転電極の回転を止めて、電極の周囲の液流を止めるようにしてもよい。
さらに、このような回転電極を用いる場合には、前述したようなフロー式の電気化学測定装置ではなく、容器に貯留した試料溶液中に回転電極を浸漬させて電気化学測定を行うバッチ式測定において、流体制御部が回転電極の回転を制御して電極に対する試料溶液などの液流をコントロールするようにしてもよい。
その他、本発明の趣旨に反しない限りにおいて、種々の変形や実施形態の組合せを行ってもかまわない。
【実施例】
【００４９】
以下に、本発明の実施例について説明するが、本発明は、この実施例に限定されるものではない。
この実施例は、前記実施形態で詳述した電気化学測定装置１００を用いて、電解研磨時に電極への試料供給をした場合と、電解研磨時に電極への試料供給をしなかった場合との間での電極の洗浄効率を調べたものである。
【００５０】
＜実施例＞
実施例として、前記実施形態で説明した新たな電解研磨の手順で電極を洗浄した。
この実施例では、電解研磨制御部が測定回路４を介して作用電極に電解研磨のための電圧を印加している間、分岐流路１２のバルブ１４を閉じて、分岐流路１２及びフローセル内の試料溶液の流れを止めた。
【００５１】
そして、電解研磨制御部が測定回路４を介して作用電極に電解研磨のための電圧を印加していない間は、分岐流路１２のバルブ１４を開けて、分岐流路１２及びフローセル内の液置換を行った。
【００５２】
作用電極への＋４Ｖから−４Ｖの間での反復的な電圧の掃印が一回完了した後に、測定電圧制御部５１１によって、作用電極に測定電圧である−０．６７Ｖを印加して、その時の電流値を測定した。この操作を続けて１０回繰り返した。
分岐流路１２及びフローセル内の液置換を行う際の、分岐流路１２内の送液速度を様々に変化させた場合の連続測定回数に対する測定電流値を表したグラフを図５に示した。
【００５３】
＜比較例＞
一方、比較例として、従来の電解研磨の手順で電極を洗浄した。
この比較例では、従来通り、電解研磨制御部によって電極に電圧を印加している間も、分岐流路１２に試料溶液を流し続けた以外は、前記実施例と同様の手順で行った。
比較例についても、分岐流路１２及びフローセル内の液置換を行う際の、分岐流路１２内の送液速度を様々に変化させた場合の連続測定回数に対する測定電流値を表したグラフを図６に示した。
【００５４】
＜実施例と比較例との結果の対比及び考察＞
これら図５及び図６のグラフでは、縦軸の測定電流値が小さいほど、電極の感度が高いことを表している。
実施例の結果を示す図５のグラフでは、液置換時の送液流速が１３０ｍｌ／ｍｉｎの場合を除いて、電極の感度が非常に高く保たれていることが分かった。
【００５５】
液置換時の送液流速が１３０ｍｌ／ｍｉｎの場合には、電極の感度が低下してしまったが、これは液置換が十分に行われなかったことが原因ではないかと考えられる。
これに対して、比較例の結果を示す図６のグラフでは、電解研磨時の送液流速が大きくなるにつれて、電極の感度が悪くなるという結果が得られた。
【００５６】
これらの結果から、電解研磨時の送液流速が小さいほうが、電解研磨による洗浄効率が向上する傾向が見られ、電解研磨時に完全に送液を止めた実施例では、電解研磨時に送液を止めなかった比較例の場合に比べて電解研磨による洗浄効率が大幅に向上していることが分かった。
＜その他の実施例＞
前述したバッチ式測定において、回転電極を使用した場合であっても、電解研磨時に電極回転を停止することにより、電極周りの液流れが止まるため、送液を止めた場合と同様の環境となり、同様の電解研磨効果が得られる。
【符号の説明】
【００５７】
１００・・・電気化学測定装置
１・・・流路
３２・・・作用電極
３３・・・参照電極
３４・・・対電極
１４・・・バルブ
５１・・・電圧制御装置
５３・・・バルブ制御部
【図１】
2020034408.tif 000003
【図２】
2020034408.tif 000004
【図３】
2020034408.tif 000005
【図４】
2020034408.tif 000006
【図５】
2020034408.tif 000007
【図６】
2020034408.tif 000008